(57)【要約】【課題】携帯情報端末の使用時における起動性能を高めることを可能とする。【解決手段】スマートフォンと腕時計型のリスト端末とからなる情報処理システムにおいて、両者間におけるペアリング処理に続いて、スマートフォンが、自己が有する複数のアプリケーションを示すアプリケーション情報をリスト端末へ送信し（ＳＡ３）、リスト端末が受信したアプリケーション情報を記憶する（ＳＢ３）。その後、ユーザが、リスト端末においてアプリケーション情報により示される複数のアプリケーションのいずれかを選択すると、リスト端末がそのアプリケーションの起動命令をスマートフォンへ送信する（ＳＢ６）。スリープモードに移行している間、スマートフォンは起動命令の受信を受信すると、セキュリティロック機能が有効な場合は、それを解除し、スリープモードを終了し（ＳＡ８）、起動を命令されたアプリケーションによる動作を開始する（ＳＡ９）。【選択図】図４
2014140145.tif 000002
【特許請求の範囲】
【請求項１】
複数の機能を有する携帯情報端末、及び該携帯情報端末と無線通信する無線端末を含む情報処理システムにおいて、
前記無線端末は、
無線信号を送受信して前記携帯情報端末との間で相互認証を行う認証手段と、
前記携帯情報端末に認証された状態で、前記携帯情報端末が有する複数のプログラムを示す機能情報を前記携帯情報端末から取得する取得手段と、
前記取得手段により取得された機能情報により示される複数のプログラムのいずれかの選択操作に応答し、選択された特定のプログラムの起動を指示する起動指示信号を前記携帯情報端末に対して送信する起動指示手段と、
を含み、
前記携帯情報端末は、
無線信号を送受信して前記無線端末との間で相互認証を行う認証手段と、
前記相互認証している状態で、前記無線端末からの前記起動指示信号の受信に伴い、当該起動指示信号により起動を指示されたプログラムの実行を開始する処理手段と、
を含むことを特徴とする情報処理システム。
【請求項２】
前記携帯情報端末は、
前記無線端末と通信可能か否かの状態を繰り返し確認する確認手段と、
前記確認手段により前記無線端末と通信が所定時間不能であることが確認された場合に、動作状態をセキュリティロック状態とするロック手段と、
をさらに含むことを特徴とする請求項１記載の情報処理システム。
【請求項３】
前記携帯情報端末のセキュリティロック状態は、ロック解除操作を除く操作を禁止する動作状態であることを特徴とする請求項１又は２記載の情報処理システム。
【請求項４】
前記携帯情報端末の確認手段は、認証済みの前記無線端末と通信可能か否かの状態を一定時間毎に確認することを特徴とする請求項２又は３記載の情報処理システム。
【請求項５】
携帯情報端末、及び該携帯情報端末と無線通信する無線端末を含む情報処理システムにおける無線端末において、
無線信号を送受信して前記携帯情報端末との間で相互認証を行う認証手段と、
前記携帯情報端末に認証された状態で、前記携帯情報端末が有する複数のプログラムを示す機能情報を前記携帯情報端末から取得する取得手段と、
前記取得手段により取得された機能情報により示される複数のプログラムのいずれかの選択操作に応答し、選択された特定のプログラムの起動を指示する起動指示信号を前記携帯情報端末に対して送信する起動指示手段と、
を含むことを特徴とする無線端末。
【請求項６】
前記起動指示信号は、前記携帯情報端末に、使用者が意図しない任意の機能の不用意な起動が防止されたスリープ状態を解除し、前記特定の機能に関する処理を開始させる信号であることを特徴とする請求項５記載の無線端末。
【請求項７】
前記起動指示信号は、前記携帯情報端末に、全ての機能の使用を制限するセキュリティロック機能を解除するとともに、前記特定の機能に関する処理を開始させる信号であることを特徴とする請求項５又は６記載の無線端末。
【請求項８】
前記起動指示手段は、前記起動指示信号に加え、前記携帯情報端末が前記特定のプログラムによる所定の動作段階までの動作に不可欠の特定情報を前記携帯情報端末に対して送信することを特徴とする請求項５又は６，７のいずれか１項に記載の無線端末。
【請求項９】
前記選択操作は、当該無線端末に対するワンタッチ操作であることを特徴とする請求項５乃至８のいずれか１項に記載の無線端末。
【請求項１０】
前記選択操作は、当該無線端末に対するパスワードの入力操作であることを特徴とする請求項５記載の無線端末。
【請求項１１】
前記選択操作は、当該無線端末に対するタッチパターンの入力操作であることを特徴とする請求項５記載の無線端末。
【請求項１２】
当該無線端末は、腕時計型であることを特徴とする請求項５乃至１１のいずれか１項に記載の無線端末。
【請求項１３】
前記機能情報により示されるプログラムに対応するアイコンを表示するアイコン表示手段を備え、
前記選択操作は、前記アイコン表示手段に表示されたアイコンをタッチする操作であり、
前記起動指示手段は、タッチされたアイコンに対応する特定のプログラムの起動を指示する起動指示信号を前記携帯情報端末に対して送信する
ことを特徴とする請求項５乃至１２のいずれか１項に記載の無線端末。
【請求項１４】
前記アイコン表示手段は、前記機能情報により示される複数のプログラムのうち一部のプログラムに対応するアイコンを表示することを特徴とする請求項１３記載の無線端末。
【請求項１５】
前記アイコン表示手段は、前記機能情報により示されるプログラムに対応するアイコンを、各アイコンに設定された優先順位に従った順序で表示することを特徴とする請求項１３又は１４記載の無線端末。
【請求項１６】
前記アイコン表示手段は、前記機能情報により示される複数のプログラムのうちで同一グループに属するプログラムに対応するアイコンを同時に表示することを特徴とする請求項１４記載の無線端末。
【請求項１７】
携帯情報端末に、該携帯情報端末と無線通信する無線端末を認証させる工程と、
前記無線端末に、前記携帯情報端末に認証された状態で、前記携帯情報端末が有する複数のプログラムを示す機能情報を前記携帯情報端末から取得させる工程と、
前記無線端末に、前記携帯情報端末から取得した前記機能情報により示される複数のプログラムのいずれかの選択操作に応答し、選択された特定のプログラムの起動を指示する起動指示信号を前記携帯情報端末に対して送信させる工程と、
前記携帯情報端末に、前記起動指示信号により起動を指示されたプログラムの実行を開始させる工程と、
を含むことを特徴とする携帯情報端末の起動方法。
【請求項１８】
携帯情報端末、及び該携帯情報端末と無線通信する無線端末を含む情報処理システムにおける前記無線端末が有するコンピュータを、
無線信号を送受信して前記携帯情報端末との間で相互認証を行う認証手段と、
前記携帯情報端末に認証された状態で、前記携帯情報端末が有する複数のプログラムを示す機能情報を前記携帯情報端末から取得する取得手段と、
前記取得手段により取得された機能情報により示される複数のプログラムのいずれかの選択操作に応答し、選択された特定のプログラムの起動を指示する起動指示信号を前記携帯情報端末に対して送信する起動指示手段と、
して機能させることを特徴とするプログラム。
【発明の詳細な説明】
【技術分野】
【０００１】
本発明は、携帯情報端末の使用時における起動性能を高める技術に関するものである。
【背景技術】
【０００２】
従来、複数の機能を有する携帯情報端末、及び該携帯情報端末と無線通信する無線端末を含む情報処理システムとして、例えば下記特許文献１には、通常の通話、決済、アドレス帳、メール等の機能を有する携帯情報端末とキーユニットとで構成されたシステムが記載されている。係るシステムは、キーユニットとの間の距離が規定以上となると、携帯情報端末の全機能（１１０番通話等の例外を除く）の使用を制限することによりセキュリティを確保するものである。
【０００３】
一方、現在、携帯情報端末として一般に普及しているスマートフォンにおいては、表示部にタッチパネルが設けられるとともに、表示部にホーム画面が表示された状態でホーム画面に配置された任意のアイコンをタッチすることにより、アイコンが対応する種々のアプリケーションを使用起動させることができる。
【０００４】
また、スマートフォンにおいては、ユーザが意図しない任意のアプリケーションの不用意な起動、及び無駄な電力消費を防止するため、ホーム画面等の表示を停止する所謂スリープモードが設けられている。係るスリープモードはユーザの操作のみならず、一定時間操作がない場合には自動的に移行するモードである。
【先行技術文献】
【特許文献】
【０００５】
【特許文献１】特開２００７−１９７４８号公報
【発明の概要】
【発明が解決しようとする課題】
【０００６】
ところで、スマートフォンは、例えばカバンやポケット等に収納されているときには通常スリープモードに移行したスリープ状態にある。そのためスマートフォンをカバンやポケット等から取り出して使用する際、つまり所望のアプリケーションを使用する際、ユーザはスマートフォンを取り出し、さらにホーム画面を表示させる操作を行った後でなければ、所望のアプリケーションを起動することはできない。
【０００７】
つまりスリープモードに移行した状態にあるスマートフォンを使用する場合には、所望のアプリケーションを直ちに起動させて使用することができず甚だ不便であるという問題があった。
【０００８】
本発明は、係る従来の課題に鑑みてなされたものであり、携帯情報端末の使用時における起動性能を高めることができる情報処理システム、及び無線端末、携帯情報端末の起動方法を提供することを目的とする。
【課題を解決するための手段】
【０００９】
前記課題を解決するため、第１の観点に係る発明にあっては、複数の機能を有する携帯情報端末、及び該携帯情報端末と無線通信する無線端末を含む情報処理システムにおいて、前記無線端末は、無線信号を送受信して前記携帯情報端末との間で相互認証を行う認証手段と、前記携帯情報端末に認証された状態で、前記携帯情報端末が有する複数のプログラムを示す機能情報を前記携帯情報端末から取得する取得手段と、前記取得手段により取得された機能情報により示される複数のプログラムのいずれかの選択操作に応答し、選択された特定のプログラムの起動を指示する起動指示信号を前記携帯情報端末に対して送信する起動指示手段と、を含み、前記携帯情報端末は、無線信号を送受信して前記無線端末との間で相互認証を行う認証手段と、前記相互認証している状態で、前記無線端末からの前記起動指示信号の受信に伴い、当該起動指示信号により起動を指示されたプログラムの実行を開始する処理手段と、を含むことを特徴とする。
【００１０】
また、第２の観点に係る発明にあっては、携帯情報端末に、該携帯情報端末と無線通信する無線端末を認証させる工程と、前記無線端末に、前記携帯情報端末に認証された状態で、前記携帯情報端末が有する複数のプログラムを示す機能情報を前記携帯情報端末から取得させる工程と、前記無線端末に、前記携帯情報端末から取得した前記機能情報により示される複数のプログラムのいずれかの選択操作に応答し、選択された特定のプログラムの起動を指示する起動指示信号を前記携帯情報端末に対して送信させる工程と、前記携帯情報端末に、前記起動指示信号により起動を指示されたプログラムの実行を開始させる工程と、を含むことを特徴とする。
【００１１】
また、第３の観点に係る発明にあっては、携帯情報端末、及び該携帯情報端末と無線通信する無線端末を含む情報処理システムにおける前記無線端末が有するコンピュータを、無線信号を送受信して前記携帯情報端末との間で相互認証を行う認証手段と、前記携帯情報端末に認証された状態で、前記携帯情報端末が有する複数のプログラムを示す機能情報を前記携帯情報端末から取得する取得手段と、前記取得手段により取得された機能情報により示される複数のプログラムのいずれかの選択操作に応答し、選択された特定のプログラムの起動を指示する起動指示信号を前記携帯情報端末に対して送信する起動指示手段と、して機能させることを特徴とする。
【発明の効果】
【００１２】
本発明によれば、携帯情報端末の使用時における起動性能を高めることが可能となる。
【図面の簡単な説明】
【００１３】
【図１】本発明の各実施形態に共通する図であって、スマートフォンとリスト端末を示す平面図であるとともに、ペアリング処理の説明図である。
【図２】各実施形態に共通するスマートフォンの回路構成を示す概略ブロック図である。
【図３】各実施形態に共通するリスト端末の回路構成を示す概略ブロック図である。
【図４】第１の実施形態におけるスマートフォンとリスト端末との動作示すフローチャートである。
【図５】スマートフォンとリスト端末とのペアリング処理を示すフローチャートである。
【図６】第１の実施形態におけるスリープ状態でのスマートフォンの使用形態を示す説明図である。
【図７】第２の実施形態におけるスマートフォンとリスト端末との動作示すフローチャートである。
【図８】図７に続くフローチャートである。
【図９】第２の実施形態におけるリスト端末のホーム画面の変化を示す遷移図である。
【図１０】第３実施形態におけるスマートフォンとリスト端末との動作示すフローチャートである。
【図１１】第４実施形態におけるスマートフォンとリスト端末との動作示すフローチャートである。
【図１２】第５実施形態におけるスマートフォンとリスト端末との動作示すフローチャートである。
【発明を実施するための形態】
【００１４】
以下、本発明の実施の形態について図面を参照して説明する。
【００１５】
（実施形態１）
まず、本発明の第１の実施形態について説明する。図１は、第１の実施形態、及び後述する他の実施形態に共通する図であって、本発明を適用したスマートフォン１、及びこのスマートフォン１とブルートゥース（Ｂｌｕｅｔｏｏｔｈ（登録商標））等の近距離無線通信で無線接続されてデータ交換が可能なリスト端末２からなるシステムを示した平面図である。
【００１６】
このスマートフォン１は、動作モードとして既説したスリープモードが設けられているとともに、セキュリティロック機能を有するものである。なお、本実施形態のセキュリティロック機能も、スリープモードに移行した状態でホーム画面を表示させる際にパスワード等の入力を必要とすることにより、各種のアプリケーションプログラムの起動、及び通話（１１０番通話等の例外を除く）を含めた全ての機能の使用を制限する一般的な機能である。
【００１７】
図１に示したようにスマートフォン１は、周知のように縦長上の装置本体１０１と、この装置本体１０１上に配置された同様に縦長上の表示部１０２及びタッチパネル１０３とを有している。リスト端末２は、人体の手首に装着可能な腕時計型であり、ケース２０１と、このケース２０１上に配置された表示部２０２とタッチパネル２０３、及びケース２０１の両端部に装着されたリストバンド２０４とで構成されている。
【００１８】
図２は、スマートフォン１の回路構成を示す概略ブロック図である。１０２は、前記表示部であり、前述のように配置されたＬＣＤと、これを駆動する駆動回路等から構成されている。１０４は、表示制御部であり表示部１０２の表示状態を制御する。１０５は、入力部であり、各種キーやスイッチを有して構成されており、また、前記タッチパネル１０３も含まれる。
【００１９】
１０６は、ＣＰＵであり、スマートフォン１全体を制御する。１０７はプログラムメモリであり、制御プログラム１０７１及び、ペアリングプログラム１０７２が予め記憶されているとともに、各種のアプリケーションプログラム１０７３等が記憶されている。特に本実施形態において、プログラムメモリ１０７には、リスト端末２から任意のアプリケーションプログラムの起動を可能とする所定のアプリケーションプログラム（以下、クイック起動アプリと称す。）が記憶されている。
【００２０】
制御プログラム１０７１はスマートフォン１全体を制御する基本的な制御プログラムであり、ペアリングプログラム１０７２は任意のリスト端末２とのペアリング（認証手続）を成立させるためのプログラムである。なお、制御プログラム１０７１には、メールの作成、及び送受信を行うメールプログラムが含まれる。
【００２１】
１０８はリスト端末２との間で、近距離無線通信によるデータの送受信を行う無線Ｉ／Ｆである。１０９はＷｉ−Ｆｉなどでインターネット上の各種サーバ等とのリンクを行う通信Ｉ／Ｆである。各種サーバには各種のアプリケーションプログラム（以下、単にアプリケーションという。）を提供するサーバ（所謂アプリストア）が含まれ、プログラムメモリ１０７には、係るサーバからダウンロードされたアプリケーションが含まれる。
【００２２】
なお、スマートフォン１は、電話通信を行うため、入力された音声を変調して送信する音声入力回路、送信回路、及び受信した音声信号を受信して復号再生する受信回路、再生回路等を有するが、これら周知の回路については、図示及び説明を省略する。
【００２３】
図３は、リスト端末２の回路構成を示す概略ブロック図である。リスト端末２は、時計部２１１を有する点以外は、スマートフォン１とほぼ同様の構成である。すなわち、２０２は、前記表示部でありＬＣＤとこれを駆動する駆動回路等から構成されている。２０４は、表示部２０２の表示状態を制御する表示制御部である。２０５は、入力部であり、各種キーやスイッチを有して構成され、また、前記タッチパネル２０３も含まれる。
【００２４】
２０６は、ＣＰＵであり、リスト端末２全体を制御する。２０７はプログラムメモリであり、制御プログラム２０７１及びペアリングプログラム２０７２が予め記憶されている。制御プログラム２０７１はリスト端末２全体を制御する基本的な制御プログラムであり、ペアリングプログラム２０７２はスマートフォン１とのペアリング成立させるためのプログラムである。２０８はスマートフォン１との間で、前記無線によるリンクを行う無線Ｉ／Ｆである。
【００２５】
２０９は、ペアリング先情報メモリであり、ペアリングが行われた前記スマートフォン１に記憶されているアプリケーションに関する情報（以下、アプリケーション情報という。）、つまり前記スマートフォン１が有する機能に関する情報等を記憶するメモリである。
【００２６】
次に、本実施形態の動作についてフローチャート等に基づき説明する。なお、以下の説明においては、スマートフォンを便宜上「スマホ」と表記する。
【００２７】
図４は、スマホ１においてユーザに前述したクイック起動アプリが起動されたときのスマホ１とリスト端末２との動作を示すフローチャートである。
【００２８】
図４（ａ）に示したように、スマホ１は、クイック起動アプリの起動とともに動作を開始するとともに、それが初回の起動時でなければ（ステップＳＡ１：ＮＯ）、直ちに表示部１０２にホーム画面を表示する（ステップＳＡ４）。なお、ホーム画面は、プログラムメモリ１０７に記憶されている複数のアプリケーションプログラム１０７３に対応する複数のアイコン等が配置された画面である。
【００２９】
また、それが初回の起動時である場合には（ステップＳＡ１：ＹＥＳ）、リスト端末２との間でペアリング処理を行う（ステップＳＡ２）。ここで、初回の起動時とは、スマホ１にリスト端末２が認証端末として登録されていない状態でのクイック起動アプリの起動時である。これと対応し、図４（ｂ）に示したように、リスト端末２においても電源がオン状態であり、かつスマホ１におけるクイック起動アプリの初回の起動時には（ステップＳＢ１：ＹＥＳ）、スマホ１との間でペアリング処理を行う（ステップＳＢ２）。
【００３０】
すなわち、本実施形態においてはスマホ１がマスターとして動作し、リスト端末２がスレーブとして動作することにより、両者間でペアリングが行われる。
【００３１】
図５は、本実施の形態におけるスマホ１とリスト端末２とのペアリング処理を示すフローチャートである。同図（ａ）に示すように、スマホ１は、ブルートゥース（もしくはＷｉ−Ｆｉ）が環境設定されて、近接無線が可能な状態において、直近のリスト端末２を探索する（ステップＳＡ１０１）。
【００３２】
一方、図５（ｂ）に示すように、リスト端末２も、ブルートゥース（もしくはＷｉ−Ｆｉ）が環境設定されて、近接無線が可能な状態において、近くのスマホを探索する（ステップＳＢ１０１）。この時、ペアリングされていない当該ユーザのスマホ１とリスト端末２とが近接していると、スマホ１とリスト端末２とは、それぞれ近接無線での送信と受信とを繰り返し、近くの相手機器を探索する。
【００３３】
近くの相手機器の探索を完了したならば、スマホ１はリスト端末２に接続要求を送信し（ステップＳＡ１０２、図１（１））、リスト端末２はスマホ１に接続要求を送信する（ステップＳＢ１０２、図１（２））。そして、これら各機器から接続要求による相互通信が確立したか否かをそれぞれ判断する（ステップＳＡ１０３，ＳＢ１０３）。接続要求による相互通信が確立したならば（ステップＳＡ１０３：ＹＥＳ）、スマホ１はリスト端末２にペアリング完了通知を発行する（ステップＳＡ１０４、図１（３））。リスト端末２は、スマホ１からのペアリング完了通知の受信の有無を判断する（ステップＳＢ１０４）。
【００３４】
リスト端末２は、スマホ１との相互通信が確立した後（ステップＳＢ１０３：ＹＥＳ）、ペアリング完了通知を受信したならば（ステップＳＢ１０４：ＹＥＳ）、パスキーを生成して表示部２０２に、例えば３０秒間表示する（ステップＳＢ１０５、図１（４））。スマホ１及びリスト端末２のユーザは、このリスト端末２の表示部２０２に表示されたパスキーを視認して、スマホ１の入力部１０５が有するキーを操作し、パスキーを入力する。これにより、スマホ１の入力部１０５は操作されたキーに応じたパスキーをＣＰＵ１０６に入力する（ステップＳＡ１０５）。
【００３５】
引き続き、スマホ１は、入力されたパスキーが入力条件を満たしているか否かを判断する。ここで、入力条件とは、図１（５）に記載したように、例えば発行されたパスキーを３０秒以内に入力したかである。なお、入力制限回数は３回までである。そして、これらの入力条件を満たしていない場合には（ステップＳＡ１０６：ＮＯ）、ステップＳＡ１０１に戻る。
【００３６】
一方、入力条件を満たしている場合には（ステップＳＡ１０６：ＹＥＳ）、接続完了し（ステップＳＡ１０７）、これによりパスキーを識別情報として、ペアリング（相互認証）されたスマホ１とリスト端末２とが互いに通信接続可能なように通信設定が自動的に行われる。
【００３７】
引き続き、上述したペアリングが終了すると、スマホ１は、アプリケーション情報をリスト端末２へ送信する（ステップＳＡ３）。リスト端末２へ送信されるアプリケーション情報は、スマホ１のプログラムメモリ１０７に記憶されている複数のアプリケーションプログラム１０７３に関する情報であり、各アプリケーションの識別情報及びアイコンデータ（画像データ）である。
【００３８】
しかる後、スマホ１は、表示部１０２にホーム画面を表示する（ステップＳＡ４）。以後、スマホ１においては、クイック起動アプリがバックグラウンドで動作しており、他の動作と並行して、後述するステップＳＡ５以降の動作を行う。
【００３９】
一方、リスト端末２は、待機状態にある間にスマホ１から上記のアプリケーション情報が送信されると、それをペアリング先情報メモリ２０９に記憶する（ステップＳＢ３）。しかる後、リスト端末２は、図６（ａ）に示したホーム画面Ｇを表示部２０２に表示する（ステップＳＢ４）。リスト端末２のホーム画面Ｇは、スマホ１のホーム画面（図示せず）と同様であり、複数のアプリケーションを示す複数のアイコンＰ１，Ｐ２，Ｐ３が配置された画面である。各アイコンＰ１，Ｐ２，Ｐ３は、ペアリング先情報メモリ２０９に記憶されているアプリケーション情報に含まれるアイコンデータに基づくものである。
【００４０】
なお、リスト端末２に表示される複数のアイコンＰ１，Ｐ２，Ｐ３・・・は、スマホ１のホーム画面に表示されるアイコンの中から選択的に表示される。例えばリスト端末２に表示するアイコン数が４つの場合、リスト端末２は、スマホ１のアプリケーションのうち登録順に４つのアイコンを１グループとしてホーム画面に表示する。
【００４１】
その際、表示スペースの関係でホーム画面Ｇに配置できないアイコンが存在する状態においては、ユーザによる所定の操作に応じ、スマホ１のホーム画面に配列されるＮ個のアイコン群を、ホーム画面Ｇにグループ毎（例えば４つずつ）順に切り替えて表示する。なお、リスト端末２の表示画面における複数のアイコンはスクロール可能としてもよい。つまり、ユーザによる所定の操作に応じ１つずつ順に切り替えて表示してもよい。
【００４２】
また、リスト端末２は、スマホ１におけるクイック起動アプリの起動が初回でない場合（ステップＳＢ１：ＮＯ）、つまり既にペアリング先情報メモリ２０９にアプリケーション情報が記憶され、かつスマホ１とペアリングされている場合には、電源オンとともに直ちに上記のホーム画面Ｇを表示部２０２に表示する。
【００４３】
その後、リスト端末２は、ユーザによって、ホーム画面Ｇに配置された任意のアイコンが選択されたか否かを随時確認する（ステップＳＢ５）。ここで、ユーザによるアイコンの選択は、図６（ａ）に示したようにホーム画面Ｇ（タッチパネル２０３）をワンタッチすることにより行われる。
【００４４】
そして、任意のアイコンが選択されると（ステップＳＢ５：ＹＥＳ）、リスト端末２は、アイコンに対応するアプリケーションの起動命令を、そのアプリケーションの識別情報と共にスマホ１へ送信する（ステップＳＢ６）。すなわちアイコンに対応するアプリケーションの起動を指示する起動指示信号をスマホ１へ送信する。
【００４５】
一方、スマホ１は、例えばステップＳＡ４でホーム画面を表示した後、スリープモードに移行していない間については（ステップＳＡ５：ＮＯ）、そのままクイック起動アプリによる動作は何もせずに待機となる。
【００４６】
また、スマホ１は、例えばユーザによる操作に伴い、又は一定時間操作がないことに伴いスリープモードに移行している間、つまりホーム画面の表示を停止している間については（ステップＳＡ５：ＹＥＳ）、リスト端末２からの起動命令の受信の有無を逐次確認する（ステップＳＡ６）。
【００４７】
そして、スマホ１は、リスト端末２から上記の起動命令を受信すると（ステップＳＡ６：ＹＥＳ）、それに応答しリスト端末２へ起動報告を送信した後（ステップＳＡ７）、直ちにスリープモードを終了（解除）して、ホーム画面の表示を再開する（ステップＳＡ８）。しかる後、スマホ１は、起動命令とともに送られた識別情報により示されるアプリケーションを起動する（ステップＳＡ９）。
【００４８】
すなわち、スマホ１は、リスト端末２から上記の起動命令を受信すると、その時点でセキュリティロック機能が有効となっている場合には、それを解除した上で、スリープモードを終了するとともに、ユーザに指定された特定のアプリケーションによる動作を開始する。その後、スマホ１はステップＳＡ５の動作に戻る。
【００４９】
図６（ｂ）〜図６（ｄ）は、スマホ１におけるアプリケーションの起動状態を便宜的に示したものであって、図６（ａ）に示したように、リスト端末２のホーム画面Ｇに、メモ帳アプリを示すアイコンＰ１、カメラアプリを示すアイコンＰ２、ネット検索アプリを示すアイコンＰ３が表示されている場合の例である。図６（ｂ）は、メモ帳アプリの起動状態、図６（ｃ）は、カメラアプリの起動状態、図６（ｄ）は、ネット検索アプリの起動状態をそれぞれ示した図である。
【００５０】
なお、図４では省略したが、スマホ１は、リスト端末２から送られた識別情報により示されるアプリケーション、すなわちユーザに起動を指示されたアプリケーションが既に起動している場合、ステップＳＡ９の動作はスキップする。
【００５１】
以後、スマホ１は、任意の時点でスリープモードに移行した後には、ステップＳＡ７〜ステップＳＡ９に動作を繰り返し行う。
【００５２】
他方、リスト端末２においては、スマホ１から前述した起動報告を受信すると（ステップＳＢ７：ＹＥＳ）、ユーザに自己が選択したアプリケーションがスマホ１において起動したことを知らせる確認メッセージを表示部１０２に表示する（ステップＳＢ８）。以後、リスト端末２はステップＳＢ５へ戻り、前述した動作を繰り返す。
【００５３】
なお、ここでは、便宜上、スマホ１から起動報告が常に受信できることを前提としたが、例えばスマホ１と通信不能である場合等のように起動報告が受信できない場合においては、リスト端末２がアプリケーションの起動命令を繰り返し送信する。そして、起動命令を送信回数が所定回数に達してもスマホ１から上記の起動報告が受信できない場合、リスト端末２は、その旨をユーザに知らせるエラーメッセージを表示部１０２に表示する。
【００５４】
以上のように本実施形態のシステムにおいては、スマホ１とリスト端末２とがペアリングされると、スマホ１が有するアプリケーションの情報がリスト端末２によって取得される。これにより、ユーザは、リスト端末２においてスマホ１が有する任意のアプリケーションを起動対象として選択することができる。
【００５５】
そして、ユーザは、スマホ１がスリープ状態にある間には、リスト端末２において所望のアプリケーションの起動を指示することにより、スマホ１にスリープモードを終了させるとともに指定したアプリケーションを起動させることができる。
【００５６】
さらに、セキュリティロック機能が有効となっている場合には、それを解除した上で、スマホ１にスリープモードを終了させるとともに指定したアプリケーションを起動させることができる。
【００５７】
したがって、ユーザは、スマホ１をカバンやポケット等から取り出して使用する際、つまり所望のアプリケーションを使用する際、ユーザは、スリープ状態を解除してホーム画面を表示させる操作、さらに、場合によってはパスワード等の入力といった煩雑な作業を行うことなく、リスト端末２から瞬時に所望のアプリケーションを起動させることができる。よって、本実施形態のシステムによれば、スマホ１の使用時における起動性能を高めることができる。
【００５８】
なお、本実施形態においては、スマホ１とリスト端末２との間におけるアプリケーション情報の送受信が、スマホ１においてクイック起動アプリが初回に起動されて、双方間でペアリング処理が行われた直後に行われる場合について説明した。しかし、上記のアプリケーション情報の送受信は、以下の場合にも行わせてもよい。
【００５９】
例えばスマホ１においてクイック起動アプリが起動されている間に、スマホ１においてプログラムメモリ１０７に新たなアプリケーションが記憶された場合等、プログラムメモリ１０７に記憶されている複数のアプリケーションプログラム１０７３が変化した場合に自動的に行わせてもよい。その場合には、リスト端末２がホーム画面に表示するアイコン群と、スマホ１が有する複数のアプリケーションとを常に一致させることができる。
【００６０】
また、本実施形態においては、ユーザがリスト端末２において所望のアプリケーションの起動を指示すると、スマホ１が、セキュリティロック機能が有効となっている場合には、それを解除した上で、スリープモードを終了して指定されたアプリケーションを起動するものについて説明した。
【００６１】
しかし、本発明の実施に際しては、スマホ１が、セキュリティロック機能が有効となっている場合に、それを解除することなく、リスト端末２（ユーザ）によるアプリケーションの起動指示を無効とする構成としてもよい。その場合においては、従来と比較して、セキュリティロック機能が有効でない状態でのスマホ１の使用時における起動性能を高めることができる。
【００６２】
また、上記とは異なり、スマホ１には、セキュリティロック機能が有効な状態でリスト端末２から任意のアプリケーションの起動指示があった場合、セキュリティロックを解除するためのロック解除データをリスト端末２に要求させ、ロック解除データが受信できた段階でアプリケーションを起動させるようにしてもよい。ここで、ロック解除データは、例えばパスワードのデータや、タッチパターンのデータである。
【００６３】
その場合、リスト端末２には、スマホ１からロック解除データが要求された際には、ユーザにパスワードの入力や、画面上で所定の軌跡を描くタッチパターンの入力を促し、入力されたロック解除データをリスト端末２に送信させる動作を行わせればよい。
【００６４】
さらに、本発明の実施に際しては、セキュリティロック機能が有効となっている場合に、スマホ１がそれを解除するか否かをユーザが予め設定できるようにしてもよい。例えば前述したクイック起動アプリに、セキュリティロック機能が有効である場合の動作内容、すなわちセキュリティロック機能を解除するか否かを設定するための機能を設けるようにしてもよい。
【００６５】
また、以上の説明においては、例えばリスト端末２がホーム画面に表示するアイコン数が４つの場合、リスト端末２が登録順に４つのアイコンを１グループとしてホーム画面に表示するものについて説明した。しかし、リスト端末２には、スマホ１が有する複数のアプリケーションを予めグループ化する処理を行わせるとともに、ユーザに指定された所定のグループのアプリケーションに対応するアイコンのみをホーム画面に表示させるようにしてもよい。なお、アプリケーションのグループ化は、例えば予めユーザにより行わせてもよいし、スマホ１からアプリケーション情報を受信し記憶する際に自動的に行わせてもよい。
【００６６】
また、その際におけるホーム画面におけるアイコンの切り替えは、例えばユーザによるホーム画面上での上下方向のフリック（指等の移動操作）に応じて表示対象とするアイコンのグループを切り替え、かつホーム画面上での左右方向のフリックに応じて表示対象とするアイコンを同一のグループ内の他のアイコンに切り替える構成とすればよい。
【００６７】
上記のようにリスト端末２に、スマホ１が有する複数のアプリケーションをグループ化させ、ホーム画面に同一グループの複数アイコンを表示させれば、スマホ１が有するアプリケーションの数が多い場合には、ユーザが必要するアプリケーション（アイコン）を容易に選択できるようになる。
【００６８】
また、以上の説明においては、スマホ１が、プログラムメモリ１０７に予め記憶されているペアリングプログラム１０７２に従って動作することによりリスト端末２とペアリングされるものについて説明した。しかし、スマホ１における上記の動作は、ユーザによってプログラムメモリ１０７に適宜記憶された所定のアプリケーションプログラム１０７３、すなわちインターネット上の任意の商用のダウンロードサイトからダウンロードされ、インストールされたアプリケーションによるものであっても構わない。
【００６９】
その場合、スマホ１として、上記のペアリングプログラム１０７２が予め用意されていない既存のものを用いたとしても本発明を実施することができる。さらに、スマホ１とリスト端末２とを、汎用的でない独自の通信方式を含む任意の通信方式を用いてペアリングさせることができ、使用可能なリスト端末２の幅を広げることができる。
【００７０】
また、以上の説明においては、本発明の情報処理装置としてスマホ１を例示し、かつ本発明の無線通信機器としてリスト端末２を例示したが、本発明においては、例えば前述したスマホ１が、ノート型又はデスクトップ型のパーソナルコンピュータ等の他の情報処理装置であってもよいし、さらに、その場合においては前述したリスト端末２がスマートフォン等の他の無線端末であっても構わない。但し、リスト端末２等の無線端末については、ユーザが身に着けて使用するものが望ましい。
【００７１】
（実施形態２）
次に、本発明の第２の実施形態について説明する。本実施形態は、図２、及び図３に示した構成をそれぞれ有するスマホ１とリスト端末２とからなるシステムにおいて、スマホ１とリスト端末２とが以下に説明する動作を行うものである。
【００７２】
すなわち図７は、本実施形態におけるスマホ１とリスト端末２との動作を示すフローチャートであって、スマホ１においてユーザにより前述したクイック起動アプリが起動されたときの動作を示すものである。
【００７３】
図７（ａ）はスマホ１の動作を示すフローチャートであり、ステップＳＡ２０１〜ＳＡ２０４の処理は、第１の実施形態で説明した図４（ａ）のステップＳＡ１〜ＳＡ４の処理と同様である。また、図７（ｂ）はリスト端末２の動作を示すフローチャートであり、ステップＳＢ２０１〜ＳＢ２０４の処理は、第１の実施形態で説明した図４（ｂ）のステップＳＢ１〜ＳＢ４の処理と同様である。
【００７４】
つまり本実施形態においてもスマホ１においてクイック起動アプリが起動された際には、必要に応じてスマホ１とリスト端末２との間でペアリング処理が行われるとともに、スマホ１からリスト端末２へアプリケーション情報（複数のアプリケーションの識別情報及びアイコンデータ）が送信される。
【００７５】
しかる後、スマホ１とリスト端末２とは、それぞれホーム画面を表示する。なお、その際、本実施形態においてリスト端末２は、図６（ａ）に示したようなホーム画面Ｇを表示部２０２に表示する際（ステップＳＢ２０４）、複数のアイコンを登録順に表示させる。
【００７６】
そして、スマホ１とリスト端末２は、スマホ１にリスト端末２が認証端末として登録され、かつリスト端末２に、スマホ１が有する複数のアプリケーションが登録された状態でホーム画面を表示している間、引き続き以下のように動作する。
【００７７】
まず、スマホ１は、ユーザによるスリープ操作（スリープモードへの移行操作）の有無、及び一定時間操作が無かったかをそれぞれ確認しており、ユーザによるスリープ操作があった場合（ステップＳＡ２０５：ＹＥＳ）、又は一定時間操作が無かった場合には（ステップＳＡ２０６：ＹＥＳ）、直ちにホーム画面の表示を停止したスリープモードへ移行するとともに、全機能をロックしたロック状態、すなわちセキュリティロック状態に移行する（ステップＳＡ２１３）。
【００７８】
さらに、スマホ１は、ロック状態に移行していない間には、予め決められている一定時間毎の確認タイミングが到来する毎に（ステップＳＡ２０７：ＹＥＳ）、リスト端末２へ通信を開始するための接続要求を行う（ステップＳＡ２０８）。なお、本実施形態において上記の一定時間が１分であるものとする。
【００７９】
一方、図７（ｂ）に示したように、リスト端末２は、ホーム画面の表示後にはスマホ１から接続要求の有無を随時確認しており、接続要求があれば（ステップＳＢ２０５：ＹＥＳ）、直ちにそれに応答する（ステップＳＢ２０６）。
【００８０】
そして、スマホ１は、リスト端末２からの応答が確認できた時（ステップＳＡ２０９：ＹＥＳ）、つまりリスト端末２と通信可能であることが確認できた時には、直ちに通信を終了するとともに、確認回数Ｎをゼロにリセットした後（ステップＳＡ２１０）、ステップＳＡ２０５の処理へ戻る。この確認回数Ｎは、後述するようにリスト端末２からの応答が確認できなかった回数である。
【００８１】
また、スマホ１は、リスト端末２へ通信を開始するための接続要求を行った後、リスト端末２からの応答が確認できなかった時（ステップＳＡ２０９：ＮＯ）、つまりリスト端末２と通信不能であることが確認できた時には、直ちに通信を終了するとともに、確認回数Ｎをインクリメントする（ステップＳＡ２１１）。
【００８２】
引き続き、スマホ１は、確認回数Ｎが５回となったか否かを確認する（ステップＳＡ２１２）。つまりリスト端末２と通信不能である状態が所定時間（ここでは少なくとも４分間以上）継続して確認できたか否かを確認する。そして、スマホ１は、確認回数Ｎが５回に達していなければ（ステップＳＡ２１２：ＮＯ）、そのままステップＳＡ２０５の処理へ戻り、前述した動作を繰り返す。
【００８３】
なお、その間においてもスマホ１は、前述したようにリスト端末２からの応答が確認できれば（ステップＳＡ２０９：ＹＥＳ）、その時点で確認回数Ｎをゼロにリセットする（ステップＳＡ２１０）。
【００８４】
そして、上記の処理を繰り返す間に確認回数Ｎが５回に達した場合（ステップＳＡ２１２：ＹＥＳ）、スマホ１は、直ちに前述したロック状態（セキュリティロック状態）に移行する（ステップＳＡ２１３）。
【００８５】
その後、図８（ａ）に示したようにスマホ１は、リスト端末２からの起動指示信号の受信の有無を逐次確認する（ステップＳＡ１４）。
【００８６】
一方、図８（ｂ）に示したようにリスト端末２は、ペアリングが行われて待機状態にある間には、ユーザによって、ホーム画面に配置された任意のアイコンが選択されたか否かを随時確認する（ステップＳＢ２０７）。ここで、ユーザによるアイコンの選択は、図６（ａ）に示したようにホーム画面（タッチパネル２０３）をワンタッチすることにより行われる。
【００８７】
そして、任意のアイコンが選択されると（ステップＳＢ２０７：ＹＥＳ）、アイコンに対応するアプリケーションの起動命令を、そのアプリケーションの識別情報と共にスマホ１へ送信する（ステップＳＢ２０８）。すなわちアイコンに対応するアプリケーションの起動を指示する起動指示信号をスマホ１へ送信する。
【００８８】
他方、スマホ１は、リスト端末２から起動指示信号を受信すると（ステップＳＡ２１４：ＹＥＳ）、それに応答しリスト端末２へ起動報告を送信した後（ステップＳＡ２１５）、直ちにセキュリティロック機能を解除した上でスリープモードを終了し（ステップＳＡ２１６）、ユーザに指定された特定のアプリケーションによる動作を開始する（ステップＳＡ２１７）。
【００８９】
なお、このときのスマホ１におけるアプリケーションの起動状態は、第１の実施形態で図６（ｂ）〜図６（ｄ）に示したとおりである。また、図８では省略したが、スマホ１は、リスト端末２から受信した起動指示信号（識別情報）により示されるアプリケーション、すなわちユーザに起動を指示されたアプリケーションが既に起動している場合、ステップＳＡ２１７の動作はスキップする。
【００９０】
その後、スマホ１はステップＳＡ２０５の動作に戻る。つまり、スマホ１はアプリケーションによる所定の動作を行うとともに、その間、その動作と並行して前述したステップＳＡ２０５〜ステップＳＡ２１２に動作を繰り返し行う。
【００９１】
一方、リスト端末２は、前述した起動指示信号をスマホ１へ送信した後には、スマホ１から起動指示信号に対する起動報告信号が受信できたか否かを確認する（ステップＳＢ２０９）。なお、係る動作は、実際には所定時間内に繰り返し行われる。
【００９２】
ここで、例えばスマホ１と通信不能な状態である場合のように、起動報告信号が受信できない場合（ステップＳＢ２０９：ＮＯ）、リスト端末２は、その旨を知らせるエラーメッセージを表示部２０２に表示した後（ステップＳＢ２１２）、ステップＳＢ２０５へ戻る。
【００９３】
また、リスト端末２は、起動報告信号が受信できれば（ステップＳＢ２０９：ＹＥＳ）、ユーザに自己が選択したアプリケーションがスマホ１において起動したことを知らせる確認メッセージを表示部１０２に一定時間表示する（ステップＳＢ２１０）。
【００９４】
しかる後、リスト端末２は、ホーム画面におけるアイコンの配置を更新する（ステップＳＢ２１１）。本実施形態において各アイコンの配置は使用順であり、リスト端末２は、使用日時がより新しいアプリケーションのアイコンを優先してホーム画面に表示する。具体的に説明すると、リスト端末２は、予め各々のアイコン（アプリケーション）が最後に使用された日時を記憶しておき、使用日時が新しいアイコンから順にホーム画面に所定数を表示させる。
【００９５】
すなわち図９は、ホーム画面Ｇに表示するアイコンが４つの場合における、アイコンの表示状態の変化を示した遷移図であり、ホーム画面Ｇに、当初Ａ，Ｂ，Ｃ，Ｄで示したアイコンが表示されていた場合（図で左端）の例である。この場合、例えばユーザが、ホーム画面ＧのアイコンをＥ，Ｆ，Ｇ，Ｈで示したアイコンに切り替えた後、Ｆで示したアイコン（アプリケーション）を起動させると（図で中央）、ステップＳＢ２１１の動作に伴いホーム画面ＧにはＦ，Ａ，Ｂ，Ｃで示したアイコンが表示されることとなる。なお、図９は、４つのアイコンを使用日時に応じてホーム画面Ｇの左上、右上、左下、右下に順に配置する場合の例である。
【００９６】
そして、リスト端末２は、上記のようにホーム画面におけるアイコンの配置を更新した後にはステップＳＢ２０５へ戻り、前述した動作を繰り返す。
【００９７】
以上のように本実施形態においてスマホ１は、ユーザによるスリープ操作があった場合、又は一定時間操作が無かった場合、さらにリスト端末２と通信不能である状態が所定時間継続した場合には、セキュリティロック状態に移行する。しかし、スマホ１は、セキュリティロック状態にある間においても、リスト端末２から送られる起動指示信号の受信の有無を随時確認し、起動指示信号を受信した際には自動的にセキュリティロック状態を解除し、ユーザに指示されたアプリケーションを起動する。
【００９８】
したがって、本実施形態のシステムにおいても、ユーザは、スマホ１がセキュリティロック状態に有るか否かに関係なく、リスト端末２から所望のアプリケーションの起動を起動させることができる。つまり、スマホ１に高いセキュリティ性を維持したままで、スマホ１の使用時における起動性能を高めることができる。
【００９９】
また、本実施形態においては、リスト端末２が、スマホ１が有する複数のアプリケーションのアイコンを表示部２０２、つまりホーム画面に表示する際、複数のアイコンの配置を使用順とし、使用日時がより新しいアプリケーションのアイコンを優先してホーム画面に表示するようにした。
【０１００】
そのため、ユーザは、リスト端末２からスマホ１のアプリケーションを起動する際には、ホーム画面に表示されているアイコンを切り替えることなく、最近使用したアプリケーションを直ちに起動させることができる。したがって、スマホ１の使用時における起動性能をさらに高めることができる。
【０１０１】
なお、上記ホーム画面におけるアイコンの配置は、使用日時に応じた順番でなくともよく、本発明の実施に際しては、例えばリスト端末２には、各々のアイコン（アプリケーション）の使用回数を記憶させ、各アイコンを使用回数が多い順、すなわち使用頻度が高い順に配置するようにしてもよい。その場合においても、スマホ１の使用時における起動性能をさらに高めることができる。
【０１０２】
（実施形態３）
次に、本発明の第３の実施形態について説明する。本実施形態は、図２、及び図３に示した構成をそれぞれ有するスマホ１とリスト端末２とからなるシステムにおいて、リスト端末２のペアリング先情報メモリ２０９に、スマホ１が有する特定のアプリケーションに関連する特定情報を予めユーザによって記憶されているとともに、スマホ１とリスト端末２とが第２の実施形態で説明した動作に加え、後述する動作を行うものである。
【０１０３】
ここで、上記の特定情報とは、スマホ１が特定のアプリケーションの動作開始当初に必要とする情報であり、ユーザがスマホ１を直接操作して特定のアプリケーションを起動した場合においてスマホ１から入力を求められる情報である。特定情報の具体的な例としては、特定のアプリケーションがインターネット上のサービス（ネットバンキング等）に接続するものである場合には、サービスの利用に不可欠なログイン用のパスワードやユーザＩＤといった１又は複数の情報である。
【０１０４】
以下、本実施形態の動作について説明する。図１０（ａ）は、図８（ａ）のステップＳＡ２１７に続くスマホ１の動作を示すフローチャートであり、図１０（ｂ）は、図８（ｂ）のステップＳＢ２１１に続くリスト端末２の動作を示すフローチャートである。
【０１０５】
本実施形態においてスマホ１は、ステップＳＡ２１７でリスト端末２から起動を指示されたアプリケーションを起動した後、前述した特定情報が必要になると（ステップＳＡ３０１：ＹＥＳ）、前述した特定情報の送信を要求する要求信号をリスト端末に送信する（ステップＳＡ３０２）。
【０１０６】
なお、スマホ１において特定情報が必要になる時点は、例えば起動したアプリケーションが、インターネット上のサービスに接続するものである場合には、そのサービス提供するサーバからログイン用のパスワード等を要求された時点である。
【０１０７】
一方、リスト端末２は、ステップＳＢ２１１でアイコンの配置を更新した後、今回スマホ１に起動を指示したアプリケーションが、スマホ１において動作開始当初に特定情報を必要とするアプリケーションであった場合には（ステップＳＢ３０１：ＹＥＳ）、スマホ１から特定情報の要求信号を受信するまで待機する（ステップＳＢ３０２：ＮＯ）。
【０１０８】
上記の要求信号を受信すると（ステップＳＢ３０２：ＹＥＳ）、リスト端末２は、要求された特定情報をペアリング先情報メモリ２０９から読み出し、それをスマホ１に送信する（ステップＳＢ３０３）。
【０１０９】
他方、スマホ１は、リスト端末２から特定情報を受信すると（ステップＳＡ３０３：ＹＥＳ）、受信した特定情報を用いて、今回起動したアプリケーションに関する処理を続行する（ステップＳＡ３０４）。より具体的に説明すると、受信した特定情報が例えば先に述べたログイン用のパスワード等である場合には、スマホ１はログイン処理を実行する。
【０１１０】
したがって、本実施形態のシステムにおいては、ユーザは、スマホ１がセキュリティロック状態に有るか否かに関係なく、リスト端末２から所望のアプリケーションの起動を起動させることができだけに止まらず、そのアプリケーションの使用に際して特定情報の入力が不可欠な場合であっても、その入力作業を省略することができる。
【０１１１】
ここで、本実施形態においては、リスト端末２が、スマホ１からの要求に応じて特定情報を自動的にスマホ１へ送信する構成について説明したが以下のようにしてもよい。
【０１１２】
例えばリスト端末２には、スマホ１から特定情報が要求されたとき、特定情報の送信の可否をユーザに問い合わせる表示を表示部１０２において行い、ユーザに表示部１０２の画面のタッチ操作によって送信の可否を指示させる。
【０１１３】
そして、リスト端末２には、ユーザにより送信が許可された場合には特定情報をスマホ１へ送信し、ユーザにより送信が許可されなかった場合には、特定情報の送信を中止するよう動作させてもよい。
【０１１４】
なお、その場合においてスマホ１には、リスト端末２から特定情報が受信できないときには、通常の起動同様の動作、すなわち特定情報の入力待ちを行わせればよい。
【０１１５】
また、本実施形態においては、スマホ１が特定のアプリケーションの起動後に特定情報が必要となった時点で、スマホ１とリスト端末２と間で特定情報の送受信が行われる構成について説明した。しかし、本実施形態の動作とは異なり、特定情報はリスト端末２がスマホ１に起動指示信号を送信する際、その起動指示信号と共に予めスマホ１に送信する構成としてもよい。
【０１１６】
また、以上の説明においては、特定情報の一例として、ネットバンキング等のサービスに接続する際に使用されるログイン用のパスワードやユーザＩＤを説明したが、本発明においてリスト端末２からスマホ１に送信する特定情報は、ユーザにより選択された特定のアプリケーションによるスマホ１における所定の動作段階までの動作に不可欠な情報であれば任意である。
【０１１７】
また、本実施形態における上述した動作は、第１の実施形態で説明したシステムにおいて実施してもよい。すなわち図１０（ａ）に示したスマホ１の動作を図４（ａ）のステップＳＡ９の動作に続いて行わせ、かつ図１０（ｂ）に示したリスト端末２の動作を図４（ｂ）のステップＳＢ８の動作に続いて行わせてもよい。
【０１１８】
（実施形態４）
次に、本発明の第４の実施形態について説明する。本実施形態も図２、及び図３に示した構成をそれぞれ有するスマホ１とリスト端末２とからなるシステムに関するものである。但し、本実施形態においては、スマホ１が有するアプリケーションにファイルの閲覧や、ファイルの編集機能を備えた所定のアプリケーション（以下、特定のアプリケーションという。）が含まれている。そして、本実施形態においては、スマホ１とリスト端末２とが第２の実施形態で説明した動作に加え以下の動作を行う。
【０１１９】
すなわち図１１（ａ）は、図８（ａ）のステップＳＡ２１７に続くスマホ１の動作を示すフローチャートであり、図１１（ｂ）は、図８（ｂ）のステップＳＢ２１１に続くリスト端末２の動作を示すフローチャートである。
【０１２０】
本実施形態においてスマホ１は、ステップＳＡ２１７でリスト端末２から起動を指示されたアプリケーションを起動した後、当該アプリケーションが前述した特定のアプリケーションである場合には（ステップＳＡ４０１：ＹＥＳ）、処理対象候補のファイル情報を取得する（ステップＳＡ４０２）。
【０１２１】
なお、本実施形態において、処理対象候補のファイルは、図２では省略したスマホ１が有する内蔵フラッシュメモリ等からなるユーザメモリに記憶されている。次に、スマホ１は、処理対象候補のファイルの一覧データを作成し、それをリスト端末２へ送信する（ステップＳＡ４０３）。
【０１２２】
その後、スマホ１は、リスト端末２から後述するファイル情報の受信待ちを行う（ステップＳＡ４０４）。
【０１２３】
一方、リスト端末２は、ステップＳＢ２１１でアイコンの配置を更新した後、今回スマホ１に起動を指示したアプリケーションが前述した特定のアプリケーションであった場合には（ステップＳＢ４０１：ＹＥＳ）、スマホ１からファイルの一覧データを受信するまで待機する（ステップＳＢ４０２：ＮＯ）。
【０１２４】
そして、上記のファイルの一覧データを受信すると（ステップＳＢ４０２：ＹＥＳ）、リスト端末２は、受信したファイルの一覧データを表示部１０２に表示させる（ステップＳＢ４０３）。つまりリスト端末２は処理対象候補のファイルのファイル名等を表示部１０２に一覧形式で表示させる。
【０１２５】
その後、リスト端末２は、ユーザによって、一覧表示したファイルのいずれかが選択されるまでの間（ステップＳＢ４０４：ＮＯ）、ファイルの一覧表示を継続する。なお、図示しないが、その間、画面上に一覧表示できないファイルが存在する場合には、ユーザの所定の操作に応じて処理対象候補の複数のファイルを切り替え表示したり、スクロールさせたりする。
【０１２６】
やがて、ユーザによっていずれかのファイルが選択されると（ステップＳＢ４０４：ＹＥＳ）、リスト端末２は、選択されたファイルを特定するファイル情報をスマホ１へ送信する（ステップＳＢ４０５）。
【０１２７】
他方、スマホ１は、リスト端末２から、上記のファイル情報を受信すると（ステップＳＡ４０４：ＹＥＳ）、受信したファイル情報に基づいてユーザにより選択されたファイルを特定し、特定したファイルを編集対処、又は閲覧対象として、今回起動したアプリケーションでの処理を続行する（ステップＳＡ４０５）。すなわちスマホ１は、特定したファイルを開く処理を行う。
【０１２８】
したがって、本実施形態のシステムにおいては、ユーザは、スマホ１がセキュリティロック状態に有るか否かに関係なく、リスト端末２から、前述した特定のアプリケーションの起動を起動させることができだけに止まらず、特定のアプリケーションによりファイルを開くことができる。
【０１２９】
なお、本実施形態における上述した動作は、第１の実施形態で説明したシステムにおいて実施してもよい。すなわち図１１（ａ）に示したスマホ１の動作を図４（ａ）のステップＳＡ９の動作に続いて行わせ、かつ図１１（ｂ）に示したリスト端末２の動作を図４（ｂ）のステップＳＢ８の動作に続いて行わせてもよい。
【０１３０】
（実施形態５）
次に、本発明の第５の実施形態について説明する。本実施形態は、図２、及び図３に示した構成をそれぞれ有するスマホ１とリスト端末２とからなるシステムにおいて、スマホ１が前述したクイック起動アプリに従って動作している間、スマホ１とリスト端末２とが前述した第１〜第４の実施形態で説明したいずれかの動作と並行して以下の動作を行うものである。
【０１３１】
図１２（ａ）、同図（ｂ）は、スマホ１にリスト端末２が認証端末として登録され、かつリスト端末２に、スマホ１が有する複数のアプリケーションが登録された状態にあるときの、スマホ１とリスト端末２との動作をそれぞれ示すフローチャートである。
【０１３２】
以下説明すると、図１２（ａ）に示したようにスマホ１は、クイック起動アプリの起動と共に動作を開始した後には、メール受信の有無を随時確認しており、メール受信がなければ（ステップＳＡ５０１：ＮＯ）、他の動作を行う。すなわち前述した図４（ａ）に示したステップＳＡ５以降の動作や、図７（ａ）に示したステップＳＡ２０５以降の動作を行う。
【０１３３】
一方、スマホ１はメールを受信すると（ステップＳＡ５０１：ＹＥＳ）、まず受信メールについて、送信者に応じた重要度を確認する（ステップＳＡ５０２）。
【０１３４】
ここで、本実施形態においては、図２では省略したスマホ１が有する内蔵フラッシュメモリ等からなるユーザメモリにアドレス帳のデータが記憶されており、アドレス帳には複数の相手先がグループ分けされた状態で登録されている。また、各グループには予め重要度が設定されている。
【０１３５】
相手先のグループは、取引先や上司等からなる第１のグループ、友人や家族等からなる第２のグループ、メールマガジン等のその他の発信者からなる第３のグループであり、各グループの重要度は、第１のグループが「高」、第２のグループが「中」、第３のグループが「低」である。
【０１３６】
そして、ステップＳＡ５０２の動作に際してスマホ１は、受信メールの送信者が属するグループを確認し、該当するグループに設定されている重要度を受信メールの重要度とする。
【０１３７】
しかる後、スマホ１は、新たなメールを受信したことを示す新着メール通知信号を、当該メールの重要度を示す情報と共にリスト端末２に送信する（ステップＳＡ５０３）。
【０１３８】
他方、図１２（ｂ）に示したようにリスト端末２は、上記新着メール通知信号の受信がなければ（ステップＳＢ５０１：ＮＯ）、他の動作を行う。すなわち前述した図４（ｂ）に示したステップＳＢ５以降の動作や、図７（ｂ）に示したステップＳＢ２０５以降の動作を行う。
【０１３９】
そして、スマホ１は、新着メール通知信号を受信すると（ステップＳＢ５０１：ＹＥＳ）、メールの受信をユーザに知らせる新着メールアイコンを、受信した重要度情報により示される重要度に応じて予め決められている表示色で表示部２０２に表示する（ステップＳＢ５０２）。
【０１４０】
なお、重要度に応じ表示色は、例えば重要度「高」が赤、重要度「中」が黄色、重要度「低」がグレーである。また、新着メールアイコンの表示サイズは、前述したホーム画面Ｇ（図６（ａ）、図９参照）における他のアイコンよりも大きなサイズである。
【０１４１】
また、上記の新着メールアイコンは、リスト端末２に予め用意されているものであり、ペアリング先情報メモリ２０９にアプリケーション情報として記憶されているスマホ１が有するメールプログラムと関連付けられているものである。すなわち新着メールアイコンには、前述した他のアイコンと同様の機能が割り当てられたものであり、メールプログラムの起動指示に使用可能である。
【０１４２】
なお、新着メールアイコンとメールプログラムとの関連付けは、例えばリスト端末２が、スマホ１から受信したアプリケーション情報をペアリング先情報メモリ２０９に記憶する際、予め決められている複数種類のメールプログラムのいずれかに該当する情報がアプリケーション情報に含まれている場合に自動的に行われる。
【０１４３】
したがって、本実施形態のシステムによれば、ユーザは、スマホ１がメールを受信したとき、スマホ１がスリープ状態であるか否かに関係なく、またセキュリティロック状態であるか否かに関係なく、それをリスト端末２によって直ちに知ることができる。同時に、ユーザは受信したメールの重要度も知ることができる。さらに、ユーザは、新着メールアイコンをタッチすれば、直ちにスマホ１にメールプログラムを起動させることができる。
【０１４４】
以上、本発明のいくつかの実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
［請求項１］
複数の機能を有する携帯情報端末、及び該携帯情報端末と無線通信する無線端末を含む情報処理システムにおいて、前記無線端末は、無線信号を送受信して前記携帯情報端末との間で相互認証を行う認証手段と、前記携帯情報端末に認証された状態で、前記携帯情報端末が有する複数のプログラムを示す機能情報を前記携帯情報端末から取得する取得手段と、前記取得手段により取得された機能情報により示される複数のプログラムのいずれかの選択操作に応答し、選択された特定のプログラムの起動を指示する起動指示信号を前記携帯情報端末に対して送信する起動指示手段と、を含み、前記携帯情報端末は、無線信号を送受信して前記無線端末との間で相互認証を行う認証手段と、前記相互認証している状態で、前記無線端末からの前記起動指示信号の受信に伴い、当該起動指示信号により起動を指示されたプログラムの実行を開始する処理手段と、を含むことを特徴とする情報処理システム。
［請求項２］
前記携帯情報端末は、前記無線端末と通信可能か否かの状態を繰り返し確認する確認手段と、前記確認手段により前記無線端末と通信が所定時間不能であることが確認された場合に、動作状態をセキュリティロック状態とするロック手段と、をさらに含むことを特徴とする請求項１記載の情報処理システム。
［請求項３］
前記携帯情報端末のセキュリティロック状態は、ロック解除操作を除く操作を禁止する動作状態であることを特徴とする請求項１又は２記載の情報処理システム。
［請求項４］
前記携帯情報端末の確認手段は、認証済みの前記無線端末と通信可能か否かの状態を一定時間毎に確認することを特徴とする請求項２又は３記載の情報処理システム。
［請求項５］
携帯情報端末、及び該携帯情報端末と無線通信する無線端末を含む情報処理システムにおける無線端末において、無線信号を送受信して前記携帯情報端末との間で相互認証を行う認証手段と、前記携帯情報端末に認証された状態で、前記携帯情報端末が有する複数のプログラムを示す機能情報を前記携帯情報端末から取得する取得手段と、前記取得手段により取得された機能情報により示される複数のプログラムのいずれかの選択操作に応答し、選択された特定のプログラムの起動を指示する起動指示信号を前記携帯情報端末に対して送信する起動指示手段と、を含むことを特徴とする無線端末。
［請求項６］
前記起動指示信号は、前記携帯情報端末に、使用者が意図しない任意の機能の不用意な起動が防止されたスリープ状態を解除し、前記特定の機能に関する処理を開始させる信号であることを特徴とする請求項５記載の無線端末。
［請求項７］
前記起動指示信号は、前記携帯情報端末に、全ての機能の使用を制限するセキュリティロック機能を解除するとともに、前記特定の機能に関する処理を開始させる信号であることを特徴とする請求項５又は６記載の無線端末。
［請求項８］
前記起動指示手段は、前記起動指示信号に加え、前記携帯情報端末が前記特定のプログラムによる所定の動作段階までの動作に不可欠の特定情報を前記携帯情報端末に対して送信することを特徴とする請求項５又は６，７のいずれか１項に記載の無線端末。
［請求項９］
前記選択操作は、当該無線端末に対するワンタッチ操作であることを特徴とする請求項５乃至８のいずれか１項に記載の無線端末。
［請求項１０］
前記選択操作は、当該無線端末に対するパスワードの入力操作であることを特徴とする請求項５記載の無線端末。
［請求項１１］
前記選択操作は、当該無線端末に対するタッチパターンの入力操作であることを特徴とする請求項５記載の無線端末。
［請求項１２］
当該無線端末は、腕時計型であることを特徴とする請求項５乃至１１のいずれか１項に記載の無線端末。
［請求項１３］
前記機能情報により示されるプログラムに対応するアイコンを表示するアイコン表示手段を備え、前記選択操作は、前記アイコン表示手段に表示されたアイコンをタッチする操作であり、前記起動指示手段は、タッチされたアイコンに対応する特定のプログラムの起動を指示する起動指示信号を前記携帯情報端末に対して送信することを特徴とする請求項５乃至１２のいずれか１項に記載の無線端末。
［請求項１４］
前記アイコン表示手段は、前記機能情報により示される複数のプログラムのうち一部のプログラムに対応するアイコンを表示することを特徴とする請求項１３記載の無線端末。
［請求項１５］
前記アイコン表示手段は、前記機能情報により示されるプログラムに対応するアイコンを、各アイコンに設定された優先順位に従った順序で表示することを特徴とする請求項１３又は１４記載の無線端末。
［請求項１６］
前記アイコン表示手段は、前記機能情報により示される複数のプログラムのうちで同一グループに属するプログラムに対応するアイコンを同時に表示することを特徴とする請求項１４記載の無線端末。
［請求項１７］
携帯情報端末に、該携帯情報端末と無線通信する無線端末を認証させる工程と、前記無線端末に、前記携帯情報端末に認証された状態で、前記携帯情報端末が有する複数のプログラムを示す機能情報を前記携帯情報端末から取得させる工程と、前記無線端末に、前記携帯情報端末から取得した前記機能情報により示される複数のプログラムのいずれかの選択操作に応答し、選択された特定のプログラムの起動を指示する起動指示信号を前記携帯情報端末に対して送信させる工程と、前記携帯情報端末に、前記起動指示信号により起動を指示されたプログラムの実行を開始させる工程と、を含むことを特徴とする携帯情報端末の起動方法。
［請求項１８］
携帯情報端末、及び該携帯情報端末と無線通信する無線端末を含む情報処理システムにおける前記無線端末が有するコンピュータを、無線信号を送受信して前記携帯情報端末との間で相互認証を行う認証手段と、前記携帯情報端末に認証された状態で、前記携帯情報端末が有する複数のプログラムを示す機能情報を前記携帯情報端末から取得する取得手段と、前記取得手段により取得された機能情報により示される複数のプログラムのいずれかの選択操作に応答し、選択された特定のプログラムの起動を指示する起動指示信号を前記携帯情報端末に対して送信する起動指示手段と、して機能させることを特徴とするプログラム。
【符号の説明】
【０１４５】
１    スマートフォン（スマホ）
２    リスト端末
１０２    表示部
１０３    タッチパネル
１０５    入力部
１０６    ＣＰＵ
２０２    表示部
２０３    タッチパネル
２０５    入力部
２０９    ペアリング先情報メモリ
２１１    時計部
１０７１    制御プログラム
１０７２    ペアリングプログラム
１０７３    アプリケーションプログラム
２０７１    制御プログラム
２０７２    ペアリングプログラム
【図１】
2014140145.tif 000003
【図２】
2014140145.tif 000004
【図３】
2014140145.tif 000005
【図４】
2014140145.tif 000006
【図５】
2014140145.tif 000007
【図６】
2014140145.tif 000008
【図７】
2014140145.tif 000009
【図８】
2014140145.tif 000010
【図９】
2014140145.tif 000011
【図１０】
2014140145.tif 000012
【図１１】
2014140145.tif 000013
【図１２】
2014140145.tif 000014